(57)【特許請求の範囲】
【請求項１】
支柱と、
設置対象を当該設置対象の側面から保持する保持部材と、
前記支柱に着脱自在であり、前記保持部材が前記支柱に仮固定されている状態で装着することにより、前記保持部材を前記支柱に固定させる固定部材と、
前記保持部材に設けられ、前記固定部材の装着動作で前記固定部材から押圧されることにより、前記設置対象と係合する係合部材と、
を備えることを特徴とするラック。
【請求項２】
前記保持部材は、前記ラックの正面から見た前記保持部材の前面と前記設置対象の前面が面一となるように、前記設置対象を保持することを特徴とする請求項１に記載のラック。
【請求項３】
前記保持部材は、回転軸を有し、
前記固定部材は、前記ラックの正面から奥行き方向に装着することにより、前記保持部材を前記支柱に固定させ、
前記係合部材は、前記回転軸により回動自在に設けられ、前記固定部材の装着動作で前記固定部材から前記係合部材の一端が押圧されることにより、前記設置対象の側方から前記設置対象の側面に向かって回動することで、前記係合部材の他端が前記設置対象の側面に形成されたスリット穴に係合することを特徴とする請求項１または２に記載のラック。
【請求項４】
前記係合部材は、前記固定部材が前記支柱から抜脱されることにより、前記設置対象との係合を解除することを特徴とする請求項１または２に記載のラック。
【請求項５】
設置対象を設置するラックの支柱に着脱自在な固着具であって、
設置対象を当該設置対象の側面から保持する保持部材と、
前記支柱に着脱自在であり、前記保持部材が前記支柱に仮固定されている状態で装着することにより、前記保持部材を前記支柱に固定させる固定部材と、
前記保持部材に設けられ、前記固定部材の装着動作で前記固定部材から押圧されることにより、前記設置対象と係合する係合部材と、
を備えることを特徴とする固着具。
【請求項６】
前記保持部材は、前記ラックの正面から見た前記保持部材の前面と前記設置対象の前面が面一となるように、前記設置対象を保持することを特徴とする請求項５に記載の固着具。
【請求項７】
前記保持部材は、回転軸を有し、
前記固定部材は、前記ラックの正面から奥行き方向に装着することにより、前記保持部材を前記支柱に固定させ、
前記係合部材は、前記回転軸により回動自在に設けられ、前記固定部材の装着動作で前記固定部材から前記係合部材の一端が押圧されることにより、前記設置対象の側方から前記設置対象の側面に向かって回動することで、前記係合部材の他端が前記設置対象の側面に形成されたスリット穴に係合することを特徴とする請求項５または６に記載の固着具。
【請求項８】
前記係合部材は、前記固定部材が前記支柱から抜脱されることにより、前記設置対象との係合を解除することを特徴とする請求項５〜７のいずれか一つに記載の固着具。
【発明の詳細な説明】
【技術分野】
【０００１】
この発明は、電子機器などの設置対象を設置するラックおよび固着具に関する。
【背景技術】
【０００２】
特許文献１の機器収納用ラックでは、マウントアングルは、前面側に機器取り付け穴を設けた機器取り付け部を折曲形成すると共に、機器の後部を支持するために背面側にタップを設けた支持レール部を形成している。機器を機器収納用ラックの前面側よりマウントアングルに取り付けるとき同時にマウントアングルの裏面に、少なくとも機器取り付け補助部と後方固定部と機器支持部とで構成される機器取り付け補助金具を取り付けている。
【０００３】
特許文献２の通信装置筺体の取付構造では、筺体本体の両側面に設けられる筺体支持部材の形状を通信装置取付枠の装置取付面から前方へＬ字状に伸びる突出面に形成し、且つこの突出面の上下端部が通信装置取付枠の内側へコの字状に伸びる突出面に形成する。更に突出面の前端にいくつかの切欠きを設け、その切欠き部で筺体支持部材と筺体本体の両側板がねじにより固定される構成とする。そして、筺体の据付時に予め筺体支持部材を装置取付枠に仮固定し、筺体本体の案内支持台としての機能を持たせている。
【０００４】
【特許文献１】特開２００６−１９０７７２号公報
【特許文献２】特開平５−３４３８５８号公報
【発明の開示】
【発明が解決しようとする課題】
【０００５】
しかしながら、上述した特許文献１では、電子機器の設置に先立って補助金具をラックの奥に取り付ける必要があるため、設置作業に手間がかかるという問題があった。また、取付金具がラックの奥に取り付けられているため、ラックとの位置あわせに手間がかかるという問題があった。
【０００６】
また、特許文献２では、筐体の側方からねじ止めすることにより通信装置を固定しているため、筐体の側方にラックや棚、壁が位置する場合には、ねじ止め作業に支障をきたすという問題があった。またこれにより、ねじ止めが甘くなると、通信装置が筐体から外れて落下してしまうという問題があった。
【０００７】
さらに、筐体の側方からねじ止めしているため、固定される通信装置が筐体よりも手前に突出することとなる。したがって、通信装置ごとに奥行き方向の長さが異なると、正面から見て凸凹が生じ、へこんでいる箇所の通信装置の前面や表示部が見えづらくなるという問題があった。
【０００８】
この発明は、上述した従来技術による問題点を解消するため、電子機器の設置作業を安全かつ容易におこなうことができるラックおよび固着具を提供することを目的とする。
【課題を解決するための手段】
【０００９】
上述した課題を解決し、目的を達成するため、このラックおよび固着具は、設置対象を当該設置対象の側面から保持する保持部材と、前記支柱に着脱自在であり、前記保持部材が前記支柱に仮固定されている状態で装着することにより、前記保持部材を前記支柱に固定させる固定部材と、前記保持部材に設けられ、前記固定部材の装着動作で前記固定部材から押圧されることにより、前記設置対象と係合する係合部材と、を備えることを要件とする。
【００１０】
このラックおよび固着具によれば、保持部材を支柱に固定させる装着動作に連動して、設置対象を保持部材を介して支柱に固定させることができる。したがって、設置対象の固定動作を、保持部材の装着動作とは別におこなう必要はない。
【００１１】
また、上記ラックおよび固着具において、前記保持部材は、前記ラックの正面から見た前記保持部材の前面と前記設置対象の前面が面一となるように、前記設置対象を保持することとしてもよい。
【００１２】
このラックおよび固着具によれば、設置対象をラックの上下方向に複数設置した場合に、各設置対象の前面を面一に揃えることができる。したがって、ラックを正面から見ると設置対象の前面が凸凹しない。
【００１３】
また、上記ラックおよび固着具において、前記保持部材は、回転軸を有し、前記固定部材は、前記ラックの正面から奥行き方向に装着することにより、前記保持部材を前記支柱に固定させ、前記係合部材は、前記回転軸により回動自在に設けられ、前記固定部材の装着動作で前記固定部材から前記係合部材の一端が押圧されることにより、前記設置対象の側方から前記設置対象の側面に向かって回動することで、前記係合部材の他端が前記設置対象の側面に形成されたスリット穴に係合することとしてもよい。
【００１４】
このラックおよび固着具によれば、設置対象の側面への固定をラックの正面からおこなうことができる。
【００１５】
また、上記ラックおよび固着具において、前記係合部材は、前記固定部材が前記支柱から抜脱されることにより、前記設置対象との係合を解除することとしてもよい。
【００１６】
このラックおよび固着具によれば、固定部材の抜脱動作に連動して、設置対象を保持部材から外すことができる。また、設置対象の側面への固定解除をラックの正面からおこなうことができる。
【００１７】
また、上記ラックおよび固着具において、前記係合部材の他端は、前記スリット穴と係合した場合に前記スリット穴の開口縁となす角度が鋭角となるように形成され、前記係合部材は、前記固定部材が前記支柱から抜脱されることにより、前記設置対象との係合が解除された場合、前記設置対象が手前から引き出されるときに前記開口縁から前記係合部材の他端が押圧されることにより、前記スリット穴から前記設置対象の側方に向かって回動することで、前記係合部材の一端が前記スリット穴から退出することとしてもよい。
【００１８】
このラックおよび固着具によれば、設置対象を手前から引き出すときに係合部材による抵抗がなくスムーズに設置対象を取り出すことができる。
【発明の効果】
【００１９】
このラックおよび固着具によれば、設置対象の設置作業を簡単かつ効率的におこなうことができるという効果を奏する。
【発明を実施するための最良の形態】
【００２０】
以下に添付図面を参照して、このラックおよび固着具の好適な実施の形態を詳細に説明する。図１は、設置対象である電子機器の概観を示す斜視図である。設置対象である電子機器１００は、たとえば、ルータやスイッチなどの通信装置であり、高さ方向の厚さよりも横幅や奥行きが長い外形を有している。前面１００ａには、各種表示がある。また、両側面１００ｂには、スリット穴１１０が形成されている。
【００２１】
図２は、図１に示した電子機器１００が設置されたラック２００の概観を示す斜視図である。図２において、ラック２００は左右一対の支柱２０１Ｌ，２０１Ｒが設けられ、縦方向に一定間隔でネジ孔２０２が形成されている。各支柱２０１Ｌ，２０１Ｒには、略Ｌ字形状の一対の固着具２１０Ｌ，２１０Ｒが同一高さで２本のネジ２２０ａ，２２０ｂによりネジ止めされており、電子機器１００を固定している。
【００２２】
図３は、図２に示した固着具２１０Ｌ，２１０Ｒの斜視図である。固着具２１０Ｌ，２１０Ｒは、電子機器１００の左右を固定するため、一対備えられる。固着具２１０Ｌ，２１０Ｒは、保持部材３００と、係合部材３１０と、から構成される。保持部材３００は、略Ｌ字形状である。前面板部３０１には、開口孔が２個（上開口孔３０１ａ、下開口孔３０１ｂ）形成されており、ネジ２２０ａ，２２０ｂが貫通する。前面板部３０１の表面は、図２に示したように、電子機器１００の前面１００ａと略面一となり、電子機器１００の背面は、支柱２０１Ｌ，２０１Ｒの表面と当接する。
【００２３】
側面板部３０２は、前面板部３０１から直角に折れ曲がっており、電子機器１００のスリット穴１１０に対応する貫通孔３０２ａが形成されている。また、側面板部３０２の表面には回転軸３０２ｂが設けられ、係合部材３１０が回動可能に支持される。また、側面板部３０２の背面は、電子機器１００の側面１００ｂと当接する。
【００２４】
側面板部３０２の上下方向の両端縁部３０２ｃ，３０２ｄはそれぞれ直角に屈曲しており、正面から見て略コの字形状を形成する。上端縁部３０２ｃは電子機器１００の上面に当接し、下端縁部３０２ｄは電子機器１００の下面に当接する。電子機器１００の厚さが上端縁部３０２ｃと下端縁部３０２ｄとの間の長さと略同一であれば、電子機器１００は保持部材３００により高さ方向が固定される。
【００２５】
係合部材３１０は、略くの字形状に形成されており、一端となる第１の屈曲片３１０ａと他端となる第２の屈曲片３１０ｂの間の屈曲部３１０ｃ（図４を参照。）が回転軸３０２ｂに回動可能に支持されている。第１の屈曲片３１０ａは、上開口孔３０１ａに対応する位置にあり、上開口孔３０１ａにネジ２２０ａが挿入されると、ネジ２２０ａのネジ足先端に押されて、第１の屈曲片３１０ａが奥側に傾倒する。この傾倒に伴って、第２の屈曲片３１０ｂが回転軸３０２ｂを中心として側面板部３０２の表面の方向に傾倒して、側面板部３０２の表面と当接する。
【００２６】
図４は、係合部材３１０の概略斜視図である。図３において、第２の屈曲片３１０ｂには略３角形状の係合片３１０ｄが第２の屈曲片３１０ｂから側面板部３０２の表面の方向に直角に折れ曲がって形成されている。第２の屈曲片３１０ｂが回転軸３０２ｂを中心として側面板部３０２の表面に向かって傾倒すると、係合片３１０ｄが貫通孔３０２ａを貫通して、電子機器１００の側面１００ｂに形成されているスリット穴１１０に進入する。スリット穴１１０の大きさは第２の屈曲片３１０ｂと同程度の大きさであるため、これにより、係合部材３１０と電子機器１００とが係合する。なお、係合片３１０ｄの斜辺は抜脱時にスリット穴１１０と当接するスロープ３１０ｅである。
【００２７】
図５は、電子機器１００の設置動作を示す説明図である。なお、図示していないが、すでにネジ２２０ａ，２２０ｂが固着具２１０Ｌ，２１０Ｒの下開口孔３０１ｂから装着され、支柱２０１Ｌ，２０１Ｒにネジ止めされている。この状態を仮固定とし、このときの係合部材３１０の初期位置を（Ａ）とする。ネジ２２０ａ，２２０ｂを固着具２１０Ｌ，２１０Ｒの上開口孔３０１ａから装着して支柱２０１Ｌ，２０１Ｒにネジ止めすることで最終的に固定される。ここでは、左の支柱２０１Ｌのみについて説明するが、右の支柱２０１Ｒについても同様である。
【００２８】
まず、仮固定の状態からネジ２２０ａを上開口孔３０１ａおよび支柱２０１Ｌのネジ孔２０２に装着する。ネジ２２０ａがネジ孔２０２の奥行き方向に進行すると、ネジ２２０ａのネジ足５００の先端が第１の屈曲片３１０ａに当接する。この状態からネジ２２０ａがネジ孔２０２の奥行き方向に進行すると、第１の屈曲片３１０ａがネジ足５００に押されて、回転軸３０２ｂにより係合部材３１０は（Ｂ）の位置まで回動する。さらに進行してネジ頭５０１が前面板部３０１に締着すると、第１の屈曲片３１０ａがネジ足５００に押されて、回転軸３０２ｂにより係合部材３１０は（Ｃ）の位置まで回動する。
【００２９】
このとき、係合片３１０ｄがスリット穴１１０に係合する。この状態では、ネジ２２０ａ，２２０ｂが締められて固定しているため、係合部材３１０はネジ２２０ａのネジ足５００の先端に押されたまま（Ｃ）の位置に位置決めされる。図６は、（Ｃ）の状態でのラック２００の部分正面図である。
【００３０】
これにより、係合片３１０ｄもスリット穴１１０に係合した状態となるため、電子機器１００を手前から引き出そうとしても、係合片３１０ｄのスロープ３１０ｅがスリット穴１１０の開口縁５１０に当接して引き出せず、後方に引き出そうとしても、係合片３１０ｄが開口縁５１１に当接して引き出せない。
【００３１】
この状態から、ネジ２２０ａを外し、電子機器１００を手前に引くと、開口縁５１０がスロープ３１０ｅを摺動して第２の屈曲片３１０ｂがスリット穴１１０から退出することで、電子機器１００をラック２００から取り外すことができる。このように、スロープ３１０ｅ（係合片３１０ｄの開口縁５１０との当接面）と開口縁５１０とのなす角度を鋭角とすることで、取り外しを抵抗なくスムーズにおこなうことができる。
【００３２】
このとき、係合部材３１０は（Ｃ）の位置から（Ａ）の方向へ回動することとなる。なお、固着具２１０Ｌ，２１０Ｒは、下のネジ２２０ｂにより支柱２０１Ｌ，２０１Ｒに仮固定されているので、電子機器１００を取り外す際には脱落することはなく、安全に電子機器１００を取り外すことができる。
【００３３】
このように、本実施の形態によれば、電子機器１００の仮固定（保持部材３００だけによる保持）の作業と、保持部材３００および電子機器１００の支柱２０１Ｌ，２０１Ｒへの固定作業とを分けておこなうことができる。これにより、作業者自身で電子機器１００を保持した状態での固定作業をおこなう必要がなく、保持部材３００および電子機器１００の支柱２０１Ｌ，２０１Ｒへの固定作業に集中できるため、電子機器１００の落下による機器破損や作業者の怪我を防止することができる。
【００３４】
また、ラック２００の手前から固着具２１０Ｌ，２１０Ｒの装着動作に連動して電子機器１００をラック２００に固定することができるため、手間がかからず、簡単に取り付けることができる。さらに、ラック２００の正面からネジ２２０ａ，２２０ｂを装着することで、電子機器１００の側面１００ｂと係合して電子機器１００を固定することができる。したがって、狭い場所や隣に他のラック２００や棚、壁などがある場合でも、ラック２００の側方から作業する必要がなく、簡単に設置することができる。
【００３５】
また、保持部材３００の前面板部３０１と電子機器１００の前面１００ａが略面一となるため、奥行きの長さが異なる電子機器１００を複数設置しても、それぞれの電子機器１００の前面１００ａも面一となる。したがって、電子機器１００の前面１００ａが見やすくなり、印刷されている文字や表示内容が隠れることなく、視認することができる。
【００３６】
以上説明したように、本実施の形態によれば、作業工数を増やすことなく、作業者１人が安全かつ容易に設置作業をおこなうことができる。上述した実施の形態に関し、さらに以下の付記を開示する。
【００３７】
（付記１）支柱と、
設置対象を当該設置対象の側面から保持する保持部材と、
前記支柱に着脱自在であり、前記保持部材が前記支柱に仮固定されている状態で装着することにより、前記保持部材を前記支柱に固定させる固定部材と、
前記保持部材に設けられ、前記固定部材の装着動作で前記固定部材から押圧されることにより、前記設置対象と係合する係合部材と、
を備えることを特徴とするラック。
【００３８】
（付記２）前記保持部材は、前記ラックの正面から見た前記保持部材の前面と前記設置対象の前面が面一となるように、前記設置対象を保持することを特徴とする付記１に記載のラック。
【００３９】
（付記３）前記保持部材は、回転軸を有し、
前記固定部材は、前記ラックの正面から奥行き方向に装着することにより、前記保持部材を前記支柱に固定させ、
前記係合部材は、前記回転軸により回動自在に設けられ、前記固定部材の装着動作で前記固定部材から前記係合部材の一端が押圧されることにより、前記設置対象の側方から前記設置対象の側面に向かって回動することで、前記係合部材の他端が前記設置対象の側面に形成されたスリット穴に係合することを特徴とする付記１または２に記載のラック。
【００４０】
（付記４）前記係合部材は、前記固定部材が前記支柱から抜脱されることにより、前記設置対象との係合を解除することを特徴とする付記１または２に記載のラック。
【００４１】
（付記５）前記係合部材の他端は、前記スリット穴と係合した場合に前記スリット穴の開口縁となす角度が鋭角となるように形成され、
前記係合部材は、前記固定部材が前記支柱から抜脱されることにより、前記設置対象との係合が解除された場合、前記設置対象が手前から引き出されるときに前記開口縁から前記係合部材の他端が押圧されることにより、前記スリット穴から前記設置対象の側方に向かって回動することで、前記係合部材の一端が前記スリット穴から退出することを特徴とする付記３に記載のラック。
【００４２】
（付記６）設置対象を設置するラックの支柱に着脱自在な固着具であって、
設置対象を当該設置対象の側面から保持する保持部材と、
前記支柱に着脱自在であり、前記保持部材が前記支柱に仮固定されている状態で装着することにより、前記保持部材を前記支柱に固定させる固定部材と、
前記保持部材に設けられ、前記固定部材の装着動作で前記固定部材から押圧されることにより、前記設置対象と係合する係合部材と、
を備えることを特徴とする固着具。
【００４３】
（付記７）前記保持部材は、前記ラックの正面から見た前記保持部材の前面と前記設置対象の前面が面一となるように、前記設置対象を保持することを特徴とする付記６に記載の固着具。
【００４４】
（付記８）前記保持部材は、回転軸を有し、
前記固定部材は、前記ラックの正面から奥行き方向に装着することにより、前記保持部材を前記支柱に固定させ、
前記係合部材は、前記回転軸により回動自在に設けられ、前記固定部材の装着動作で前記固定部材から前記係合部材の一端が押圧されることにより、前記設置対象の側方から前記設置対象の側面に向かって回動することで、前記係合部材の他端が前記設置対象の側面に形成されたスリット穴に係合することを特徴とする付記６または７に記載の固着具。
【００４５】
（付記９）前記係合部材は、前記固定部材が前記支柱から抜脱されることにより、前記設置対象との係合を解除することを特徴とする付記６または７に記載の固着具。
【００４６】
（付記１０）前記係合部材の他端は、前記スリット穴と係合した場合に前記スリット穴の開口縁となす角度が鋭角となるように形成され、
前記係合部材は、前記固定部材が前記支柱から抜脱されることにより、前記設置対象との係合が解除された場合、前記設置対象が手前から引き出されるときに前記開口縁から前記係合部材の他端が押圧されることにより、前記スリット穴から前記設置対象の側方に向かって回動することで、前記係合部材の一端が前記スリット穴から退出することを特徴とする付記８に記載の固着具。
【図面の簡単な説明】
【００４７】
【図１】設置対象である電子機器の概観を示す斜視図である。
【図２】図１に示した電子機器が設置されたラックの概観を示す斜視図である。
【図３】図２に示した固着具の斜視図である。
【図４】係合部材の概略斜視図である。
【図５】電子機器の設置動作を示す説明図である。
【図６】（Ｃ）の状態でのラックの部分正面図である。
【符号の説明】
【００４８】
１００  電子機器（設置対象）
１１０  スリット穴
２００  ラック
２０１Ｌ，２０１Ｒ  支柱
２１０Ｌ，２１０Ｒ  固着具
２２０ａ  ネジ（固定部材）
２２０ｂ  ネジ
３００  保持部材
３１０  係合部材
３１０ｄ  係合片
３１０ｅ  スロープ
【図１】
0004572242.tif 000002
【図２】
0004572242.tif 000003
【図３】
0004572242.tif 000004
【図４】
0004572242.tif 000005
【図５】
0004572242.tif 000006
【図６】
0004572242.tif 000007